(57)【特許請求の範囲】
【請求項１】
所定の振動により移動可能なウエイトを収めたケースと、前記ケースに回動可能に組み付けられると共に、当該回動の回動軸を挟んだ一方側に引っ掛け部を、かつ、他方側に前記ウエイトに対する当接部を備え、当該引っ掛け部側を前記ケースから外方に突き出させるアームとを備えたフック体と、このフック体における前記アームの引っ掛け部と、当該アームの前記回動軸との間に、当該アームの前記引っ掛け部への掛合部を位置させるフック受とを有し、
このフック体及びフック受の一方を固定側部材に、他方を当該固定側部材から離れ出す向きに移動可能に組み付けられる可動側部材に備え付けて、前記所定の振動による可動側部材の移動を阻止するラッチであって、
前記アームにおける前記ウエイトに対する当接部が、当該ウエイトを挟んだ前記ケースの奥側と当該ケースにおける前記アームの突き出し側とに少なくとも設けてあり、
前記所定の振動によりウエイトが移動されることにより、このウエイトが前記アームの当接部を押圧して、前記回動軸を中心に当該アームの引っ掛け部が前記フック受の掛合部に掛合される位置まで回動されることを特徴とするラッチ。
【発明の詳細な説明】
【０００１】
【発明の属する技術分野】
この発明は、地震などによる振動により家具などに備えられた扉などの可動側部材が予期せず移動し、この移動により当該家具などに収められた収納物が落下するといった事態を防止するために用いるのに適したラッチの提供に関する。
【０００２】
【従来の技術】
地震などの振動による家具などの扉などの可動側部材の移動を阻止する技術として、本出願人が先に開示した特願平８−３５６３５７記載のラッチがある。
【０００３】
かかる特願平８−３５６３５７には、ケース体に回動可能に組み付けられるフック手段と、このケース体内に収められ、かつ、地震等の所定の振動により移動されるウエイトとを備えており、さらに、前記フック手段が当該フック手段おけるケース体内に収められた箇所に、前記所定の振動により移動されるウエイトに当接される当接部を備えており、かかる当接部への前記ウエイトの当接に伴って前記フック手段を回動して、このフック手段の掛合端を引掛具に掛合させる構造のラッチについての開示がある。
【０００４】
【発明が解決しようとする課題】
しかるに、前記ウエイトの移動の向きは、作用される振動の向きによって異なるため、様々な向きの振動、より具体的に言えば、扉等の可動側部材を家具本体等の固定側部材から離れ出させる向きの振動以外の振動が作用された場合にあっても、この種のラッチを幅広く機能させることが望まれるところであった。
【０００５】
一つの典型例としては、扉等を家具本体等に近付ける向きの振動が作用される場合であっても、収納物がかかる振動により落下して扉等を家具本体から離れる向きに押圧する場合があり、こうした向きの振動が作用された場合にあっても、この種のラッチを機能させることが望まれる。
【０００６】
そこでこの発明は、地震などによる様々な向きの所定の振動に対応して、この振動によって生じる扉などの可動側部材の移動を阻止し得る構造を備えたラッチの提供を目的とする。
【０００７】
【課題を解決するための手段】
前記目的を達成するために、この発明ではラッチを、
（１）所定の振動により移動可能なウエイト２０・６０を収めたケース１０・５０と、前記ケース１０・５０に回動可能に組み付けられると共に、当該回動の回動軸３１・７１を挟んだ一方側に引っ掛け部３２・７２を、かつ、他方側に前記ウエイト２０・６０に対する当接部３４・７３を備え、当該引っ掛け部３２・７２側を前記ケース１０・５０から外方に突き出させるアーム３０・７０とを備えたフック体Ｆと、
【０００８】
（２）このフック体Ｆにおける前記アーム３０・７０の引っ掛け部３２・７２と、当該アーム３０・７０の前記回動軸３１・７１との間に、当該アーム３０・７０の前記引っ掛け部３２・７２への掛合部４０・８０を位置させるフック受Ｕとを有し、
【０００９】
（３）このフック体Ｆ及びフック受Ｕの一方を固定側部材Ｓに、他方を当該固定側部材Ｓから離れ出す向きに移動可能に組み付けられる可動側部材Ｍに備え付けて、前記所定の振動による可動側部材Ｍの移動を阻止するラッチＲであって、
【００１０】
（４）前記アーム３０・７０における前記ウエイト２０・６０に対する当接部３４・７３が、当該ウエイト２０・６０を挟んだ前記ケース１０・５０の奥側１０’・５０’と当該ケース１０・５０における前記アーム３０・７０の突き出し側１０”・５０”とに少なくとも設けてあり、
【００１１】
（５）前記所定の振動によりウエイト２０・６０が移動されることにより、このウエイト２０・６０が前記アーム３０・７０の当接部３４・７３を押圧して、前記回動軸３１・７１を中心に当該アーム３０・７０の引っ掛け部３２・７２が前記フック受Ｕの掛合部４０・８０に掛合される位置まで回動される構成のものとした。
【００１２】
かかる構成によれば、地震などによる所定の振動が作用されることに伴って、ウエイト２０・６０を移動させることができ、この移動されたウエイト２０・６０により当接部３４・７３を押圧して、アーム３０・７０を、当該アーム３０・７０の引っ掛け部３２・７２がフック受Ｕの掛合部４０・８０に掛合される位置まで回動させることができる。この結果、かかる所定の振動による固定側部材Ｓから離れ出す向きの可動側部材Ｍの移動を阻止することができる。
【００１３】
特に、前記アーム３０・７０の当接部３４・７３が、前記ウエイト２０・６０を挟んだ前記ケース１０・５０の奥側１０’・５０’と当該ケース１０・５０における前記アーム３０・７０の突き出し側１０”・５０”とに少なくとも設けてあることから、ウエイト２０・６０をケース１０・５０の奥側１０’・５０’に移動させる所定の振動が作用された場合にあっても、また、ウエイト２０・６０をケース１０・５０におけるアーム３０・７０の突き出し側１０”・５０”に移動させる所定の振動が作用された場合にあっても、前記アーム３０・７０を、当該アーム３０・７０の引っ掛け部３２・７２がフック受Ｕの掛合部４０・８０に掛合される位置まで回動させることができ、少なくとも、異なる二つの向きの所定の振動が作用された場合において、それぞれ、前記固定側部材Ｓから離れ出す向きの可動側部材Ｍの移動を阻止することができる。
【００１４】
当接部３４・７３の位置をさらに追加することにより、例えば、前記ウエイト２０・６０を球状に構成し、かつ、前記アーム３０・７０の当接部３４・７３を、この球状に構成されるウエイト２０・６０の周囲を巡るように構成しておけば、前記二つの向き以外の向きの所定の振動が作用された場合においても、前記アーム３０・７０を、当該アーム３０・７０の引っ掛け部３２・７２がフック受Ｕの掛合部４０・８０に掛合される位置まで回動させるようにすることが可能となる。
【００１５】
地震の振動による前記可動側部材Ｍの移動を阻止する目的で、この発明にかかるラッチＲを用いる場合には、前記所定の振動の大きさは、可動側部材Ｍの通常の可動操作に伴って生じる振動の大きさ以上の大きさとしておけば良い。
【００１６】
ウエイト２０・６０の重さを調整することにより、あるいは、フック体Ｆのアーム３０・７０の回動軸３１・７１から引っ掛け部３２・７２までの寸法を調整することにより、あるいはまた、前記ウエイト２０・６０の当接・押圧を蒙っていないアーム３０・７０の回動前の状態における、アーム３０・７０の引っ掛け部３２・７２とフック受Ｕの掛合部４０・８０との間隔を調整することにより、前記所定の振動の大きさを調整することができる。
【００１７】
【発明の実施の形態】
（第一の実施の形態）
以下、図１ないし図４に基づいて、この発明の最良の実施の形態の一つについて説明する。
【００１８】
なお、ここで図１は、この実施の形態にかかるラッチＲ１の構成を理解し易いように、当該ラッチＲ１の組み付けられる固定側部材Ｓと可動側部材Ｍをを仮想線で表すと共に、かかるラッチＲ１を構成するフック体Ｆとフック受Ｕの構成部材を分離して、斜視の状態として示している。また、図２は、所定の振動が作用されれず、したがって、ウエイト２０が移動されず、したがってまた、アーム３０が上方に回動されない未ロック状態を理解し易いように、特にラッチＲ１を縦断面の状態として示している。また、図３は、ウエイト２０をケース１０の奥側１０’に移動させる向きの振動が作用され、アーム３０が上方に回動し、フック受Ｕに引っ掛け部３２を掛合させた可動側部材Ｍの移動阻止状態を理解し易いように、特にラッチＲ１を縦断面の状態として示している。さらに、図４は、ウエイト２０をケース１０におけるアーム３０の突き出し側１０”に移動させる向きの振動が作用され、アーム３０が上方に回動し、フック受Ｕに引っ掛け部３２を掛合させた可動側部材Ｍの移動阻止状態を理解し易いように、特にラッチＲ１を縦断面の状態として示している。
【００１９】
この実施の形態にかかるラッチＲ１は、ウエイト２０を収めたケース１０および、当該ケース１０に回動可能に組み付けられるアーム３０とを備えたフック体Ｆと、このフック体Ｆのアーム３０における引っ掛け部３２に、このアーム３０の回動に伴って掛合されるフック受Ｕとを主体に構成される。
【００２０】
ウエイト２０は、所定の振動により移動するように構成してあり、また、アーム３０には移動された当該ウエイト２０に当接し、このウエイト２０に押圧される当接部３４が設けてある。そして、かかるウエイト２０の当接部３４の押圧によりアーム３０が前記フック受Ｕに引っ掛け部３２を掛合される向きに回動される構成としてある。
【００２１】
例えば、各種の家具の本体側、すなわち、固定側部材Ｓに前記フック体Ｆを、この家具の本体の開放部を塞ぐように組み付けられた扉板側、すなわち、可動側部材Ｍに前記フック受Ｕを設けておくことにより、前記所定の振動が作用されることに伴って前記アーム３０の引っ掛け部３２を前記フック受Ｕに掛合させて、かかる所定の振動による扉板の移動を阻止するように用いられる。
【００２２】
先ず、前記アーム３０は、一方側を前記ケース１０の開口１１から突き出し、他方側を当該ケース１０内に収めると共に、中間部において当該ケース１０に回動可能に組み付けられた構成としてある。すなわち、かかるアーム３０は、中間部に当該アーム３０の長さ方向に直交する向きに向けて、当該アーム３０の両側に突き出す軸突起３１ａを備えており、前記ケース１０における前記開口１１側にある当該ケース１０の向き合った側壁にそれぞれ設けた軸受凹部１２に、この軸突起３１ａをそれぞれ収めて、かかるケース１０に回動可能に組み付けられる。
【００２３】
より詳細には、前記ケース１０は、前記開口１１を形成する一側部と、この一側部に続く上面とを開放させた本体部１３と、この本体部１３の開放された上面を塞ぐ蓋板部１４とより構成してあり、前記軸受凹部１２は、前記本体部１３の上面の開放縁部において外方に連通され、かつ、本体部１３の底面１３ａに向けて続くように形成してある。そして、かかる軸受凹部１２の外方への連通側から前記軸突起３１ａを差し込んで、しかる後に、前記蓋板部１４を前記本体部１３の開放された上面を塞ぐように組み付けることにより、前記軸受凹部１２から軸突起３１ａが抜け出さない状態となり、前記ケース１０に前記アーム３０が回動可能に組み付けられるに至る。
【００２４】
図中符号１４ａで示されるのは、本体部１３側に設けられた凹部１３ｃに、前記開放された上面を塞ぐように前記蓋板部１４を組み付けた際に、当該凹部１３ｃに掛合して、この組み付け状態を維持する掛合爪である。
【００２５】
また、前記アーム３０における前記ケース１０から突き出された一方側の端部には、前記引っ掛け部３２が形成してある。この実施の形態にあっては、かかる引っ掛け部３２は、前記一方側の端部から上方に向けて突き出される鉛直部３２ａと、この鉛直部３２ａの先端から前記ケース１０の開口１１側に向けて突き出される頭部３２ｂとから構成してある。
【００２６】
また、前記アーム３０における前記ケース１０内に収められた他方側の端部には、ウエイト２０の当接部３４が形成してある。この実施の形態にあっては、かかるウエイト２０は、球状に構成してあり、前記ケース１０の奥側１０’、（すなわち、前記開口１１と反対の側）における本体部１３の底面１３ａには、このウエイト２０の載せ置かれる台部１３ｂが形成してある。そして、前記当接部３４が、この台部１３ｂを巡る環状体３４ｂに形成してある。
【００２７】
すなわち、前記環状体３４ｂは、前記台部１３ｂに載せ置かれたウエイト２０の下部周面に向き合った側に、当該環状体３４ｂの上縁側から下縁側に向けて当該環状体３４ｂの穴径を次第に小さくさせる周回状のテーパ面３４ａを備えており、このテーパ面３４ａが前記当接部３４とされる。
【００２８】
この実施の形態にあってはまた、アーム３０の重心Ｇが、前記軸突起３１ａの軸線を通る垂線Ｌ１に対して、当該アーム３０の引っ掛け部３２側に位置するように設定してある。この結果、前記アーム３０には、かかる引っ掛け部３２側を前記軸突起３１ａの軸線を中心に下方に引き下げる向きに回動させる力が働くこととなるが、この力により前記当接部３４側は上方に持ち上げられ、これによりかかる当接部３４は前記台部１３ｂに載せ置かれたウエイト２０の下部周面に当接され、また、この当接によりウエイト２０が持ち上がらないように当該ウエイト２０の重さを設定しておくことにより、かかるアーム３０は当該ウエイト２０が移動されない状態において、一定の位置に維持される。この実施の形態にあっては、かかるウエイト２０が移動されない状態において、前記アーム３０が略水平に位置されるようにしてある。（図２）
【００２９】
ウエイト２０を移動させる所定の振動が作用された場合、前記台部１３ｂ上に載せ置かれ、この台部１３ｂに支持されたウエイト２０が、この台部１３ｂを巡る前記環状体３４ｂの当接部３４上に移動し、この当接部３４を押圧させるに至る。このように当接部３４が押圧され、この当接部３４が設けられている側が下げられると、アーム３０は、前記軸突起３１ａの軸線を中心に、前記引っ掛け部３２側を上方に向けて回動させる。（図３、図４）
【００３０】
前記当接部３４は、前記ウエイト２０を載せ置いた台部１３ｂを巡る環状体３４ｂに設けられた周回上をなすテーパ面３４ａとして構成してあるため、かかるウエイト２０が前記台部１３ｂ上からいずれの向きに移動されても、必ず当該ウエイト２０により前記当接部３４を押圧させることができる。すなわち、かかるウエイト２０が前記ケース１０の開口１１側に移動される向きの所定の振動が作用された場合には、当該ケース１０の開口１１側にある当接部３４にウエイト２０の押圧力を作用させて、（図４）また、かかるウエイト２０が前記ケース１０の奥側１０’に移動される向きの所定の振動が作用された場合には、当該ケース１０の奥側１０’にある当接部３４にウエイト２０の押圧力を作用させることができ、（図３）振動の向きにかかわらず、所定の振動が加えられた場合には、前記アーム３０の引っ掛け部３２側は上方に向けて回動される。
【００３１】
なお、前記蓋板部１４の内面には、前記球状をなすウエイト２０の上部側を、当該ウエイト２０の所定の移動を許容するように当該ウエイト２０の周面との間に間隔を開けて収める筒状部１４ｂが形成してある。また、前記当接部３４が前記テーパ面３４ａとしてあることから、前記所定の振動が作用されなくなると共に、後述の弾性片４４によるフック受Ｕの掛合部４０とアーム３０の引っ掛け部３２との掛合状態の維持がなされないか、かかる掛合状態の維持が解かれた場合にあっては、アーム３０の引っ掛け部３２側の下方への移動に伴って上方に持ち上げられる当接部３４の前記テーパ面３４ａと前記筒状部１４ｂとの案内により、当該アーム３０は再び回動前の位置、すなわち、略水平位置に復帰される。（図２）
【００３２】
次いで、前記フック受Ｕは、この実施の形態にあっては、前記アーム３０の引っ掛け部３２を構成する鉛直部３２ａおよび頭部３２ｂを、当該アーム３０のこの引っ掛け部３２側の上方への回動に伴って下方から受け入れる枠体状として構成してある。
【００３３】
より具体的には、かかるフック受Ｕは、鉛直方向に沿って配される可動側部材Ｍの面への取付板部４２と、この取付板部４２の一面側から、水平方向に向けて突き出され、かつ、この突き出し端４１側に向けて互いに漸次近接され、この突き出し端４１において互いに連設された一対の枠構成体４３ａ、４３ａよりなる枠部材４３とを備えている。そして、かかる枠部材４３と取付板部４２とに囲まれた空間内に前記アーム３０の引っ掛け部３２が前記回動により受け入れられると共に、このように受け入れられたアーム３０の引っ掛け部３２に対し、前記枠部材４３における突き出し端４１の内側面を前記アーム３０の引っ掛け部３２の鉛直部３２ａに接しさせ、かつ、当該突き出し端４１の上面をかかる引っ掛け部３２の頭部３２ｂ下面に接しさせるようにして、かかる引っ掛け部３２をこの突き出し端４１をもって掛合させることができる構成としてある。すなわち、この実施の形態にあっては、かかるフック受Ｕにおける枠部材４３の突き出し端４１が前記引っ掛け部３２への掛合部４０とされる。
【００３４】
また、この実施の形態にあっては、前記フック受Ｕにおける取付板部４２の上縁部から、前記枠部材４３の掛合部４０に向けて突き出す弾性片４４が備えられており、かかる掛合部４０に前記引っ掛け部３２が掛合された状態において、この弾性片４４がかかる引っ掛け部３２の頭部３２ｂをこの頭部３２ｂの下面が前記掛合部４０を構成する枠部材４３の突き出し端４１の上面に密着するように弾性的に押圧する構成としてある。
【００３５】
この実施の形態にかかるラッチＲ１は、以上の構成を備えることから、前記フック体Ｆにおける前記アーム３０の引っ掛け部３２が前記可動側部材Ｍの側に突き出すように、前記固定側部材Ｓにおける水平方向に沿った面部に、前記ケース１０に設けた取付穴１３ｄにビス１３ｅなどを差し込みこのビス１３ｅを前記面部に止着してこのケース１０の上部を取り付けると共に、前記可動側部材Ｍにおける鉛直方向に沿った面部に、前記フック受Ｕにおける掛合部４０が、前記フック体Ｆの引っ掛け部３２の上方であって、この引っ掛け部３２と前記アーム３０の回動軸３１、すなわち、前記軸突起３１ａとの間に位置されるように、かかるフック受Ｕの前記取付板部４２に設けられた取付穴４２ａにビス４２ｂなどを差し込みこのビス４２ｂを可動側部材Ｍの前記面部に止着してこの取付板部４２を取り付けることにより、所定の振動に伴う可動側部材Ｍの移動をこのラッチＲ１をもって阻止することができる。
【００３６】
すなわち、第一に、所定の振動により前記ウエイト２０が移動されることに伴って、前記アーム３０の引っ掛け部３２が上方に回動されると、このように上方に回動されたアーム３０の引っ掛け部３２は、前記フック受Ｕの枠部材４３と取付板部４２とに囲まれた空間内に入り込むに至る。第二に、前記所定の振動により、あるいは、この所定の振動に伴って落下した収納物による可動側部材Ｍの押圧などにより、可動側部材Ｍが固定側部材Ｓから離れ出す向きに移動されると、これに伴ってフック受Ｕも固定側部材Ｓから離れる向きに移動され、この移動により前記空間内に入り込んだアーム３０の引っ掛け部３２はフック受Ｕの掛合部４０に掛合される位置まで移動され、当該掛合部４０に前記のように掛合される。（図２、図３）この掛合により、この掛合位置から先への前記可動側部材Ｍの移動が阻止される。
【００３７】
前記弾性片４４の前記引っ掛け部３２の頭部３２ｂの弾性的な押圧により、この掛合状態は維持される。この掛合状態の解除は、この実施の形態にあっては、前記引っ掛け部３２を前記掛合部４０に掛合させる位置まで前記固定側部材Ｓから離れ出した可動側部材Ｍを固定側部材Ｓの側に近付く向きに移動させることにより、前記頭部３２ｂにより前記弾性片４４の先端を上方に押し上げて、この弾性片４４の先端と前記掛合部４０との間から前記引っ掛け部３２を抜き出すことによりなすことができる。
【００３８】
（第二の実施の形態）
次いで、図５に基づいて、この発明の最良の実施の形態の他の一つについて説明する。
【００３９】
なお、ここで図５は、この実施の形態にかかるラッチＲ２の構成を理解し易いように、所定の振動が作用されず、したがって、ウエイト６０が移動されず、したがってまた、アーム７０が下方に回動されていない未ロック状態にあるラッチＲ２を、特に当該ラッチＲ２を縦断面の状態として示している。
【００４０】
この実施の形態にかかるラッチＲ２は、ウエイト６０を収めたケース５０および、当該ケース５０に回動可能に組み付けられるアーム７０とを備えたフック体Ｆと、このフック体Ｆのアーム７０における引っ掛け部７２に、このアーム７０の回動に伴って掛合されるフック受Ｕとを主体に構成される。
【００４１】
ウエイト６０は、所定の振動により移動するように構成してあり、また、アーム７０には移動された当該ウエイト６０に当接し、このウエイト６０に押圧される当接部７３が設けてある。そして、かかるウエイト６０の当接部７３の押圧によりアーム７０が前記フック受Ｕに引っ掛け部７２を掛合される向きに回動される構成としてある。
【００４２】
例えば、各種の家具の本体側、すなわち、固定側部材Ｓに前記フック体Ｆを、この家具の本体の開放部を塞ぐように組み付けられた扉板側、すなわち、可動側部材Ｍに前記フック受Ｕを設けておくことにより、前記所定の振動が作用されることに伴って前記アーム７０の引っ掛け部７２を前記フック受Ｕに掛合させて、かかる所定の振動による扉板の移動を阻止するように用いられる。
【００４３】
先ず、前記アーム７０は、一方側を前記ケース５０の開口５１から突き出し、他方側を当該ケース５０内に収めると共に、中間部において当該ケース５０に回動可能に組み付けられた構成としてある。すなわち、かかるアーム７０は、中間部に当該アーム７０の長さ方向に直交する向きに向けて、当該アーム７０の両側に突き出す軸突起７１ａを備えており、前記ケース５０における前記開口５１側において、かかるケース５０に回動可能に組み付けられる。
【００４４】
また、前記アーム７０における前記ケース５０から突き出された一方側の端部には、前記引っ掛け部７２が形成してある。この実施の形態にあっては、かかる引っ掛け部７２は、前記一方側の端部から下方に向けて突き出される鉛直部７２ａと、この鉛直部７２ａの先端から前記ケース５０の開口５１側に向けて突き出される頭部７２ｂとから構成してある。
【００４５】
また、前記アーム７０における前記ケース５０内に収められた他方側の端部には、ウエイト６０の当接部７３が形成してある。この実施の形態にあっては、かかるウエイト６０は、球状に構成してあり、前記ケース５０の奥側５０’、すなわち、前記開口５１と反対の側における当該ケース５０の底面５２に載せ置いてある。
【００４６】
そして、前記当接部７３が、このウエイト６０の上部側において、少なくともこのウエイト６０の重心ｇを通る垂線Ｌ２を挟んだ両側であって、前記ケース５０の開口５１側、すなわち、アーム７０の突き出し側５０”と奥側５０’とでそれぞれかかるウエイト６０の周面に当接するように構成してある。
【００４７】
また、かかる当接部７３は、下方から上方に向けて内すぼまり状に傾斜したテーパ面７３ａとしてある。
【００４８】
この実施の形態にあってはまた、アーム７０の重心Ｇが、前記軸突起７１ａの軸線を通る垂線Ｌ１に対して、当該アーム７０の当接部７３側に位置するように設定してある。この結果、前記アーム７０には、かかる当接部７３側を前記軸突起７１ａの軸線を中心に下方に引き下げる向きに回動させる力が働くこととなるが、この力によりかかる当接部７３は前記底面５２にに載せ置かれたウエイト６０の上部周面に当接され、かかるアーム７０は当該ウエイト６０が移動されない状態において、一定の位置に維持される。この実施の形態にあっては、かかるウエイト６０が移動されない状態において、前記アーム７０が略水平に位置されるようにしてある。
【００４９】
ウエイト６０を移動させる所定の振動が作用された場合、移動された当該ウエイト６０が前記当接部７３を上方に向けて押し上げるに至る。このように当接部７３が押し上げられ、この当接部７３が設けられている側が上げられると、アーム７０は、前記軸突起７１ａの軸線を中心に、前記引っ掛け部７２側を下方に向けて回動させる。
【００５０】
前記当接部７３は、少なくとも前記ウエイト６０の重心Ｇを挟んだ両側に設けた上方に向けて内すぼまり状をなすテーパ面７３ａとして構成してあるため、かかるウエイト６０が前記ケース５０内において当該ケース５０の開口５１側あるいは奥側５０’のいずれの向きに移動されても、必ず当該ウエイト６０により前記当接部７３を押圧させることができる。
【００５１】
すなわち、かかるウエイト６０が前記ケース５０の開口５１側に移動される向きの所定の振動が作用された場合には、当該ケース５０の開口５１側にある当接部７３を移動されるウエイト６０により押し上げ、また、かかるウエイト６０が前記ケース５０の奥側５０’に移動される向きの所定の振動が作用された場合には、当該ケース５０の奥側５０’にある当接部７３を移動されるウエイト６０により押し上げることができ、これにより、前記アーム７０の引っ掛け部７２側をそれぞれ下方に向けて回動させることができる。
【００５２】
なお、前記ケース５０の底面５２からは、上方に向けて、前記球状をなすウエイト６０の移動を所定の範囲で許容する仕切り板５３が設けてある。
【００５３】
次いで、前記フック受Ｕは、この実施の形態にあっては、前記アーム７０の引っ掛け部７２を構成する鉛直部７２ａおよび頭部７２ｂを、当該アーム７０のこの引っ掛け部７２側の下方への回動に伴って上方から受け入れる枠体状として構成してある。
【００５４】
より具体的には、かかるフック受Ｕは、鉛直方向に沿って配される可動側部材Ｍの面への取付板部８２と、この取付板部８２の一面側から、水平方向に向けて突き出され、かつ、この突き出し端８１側に向けて互いに漸次近接され、この突き出し端８１において互いに連設された一対の枠構成体８３ａ、８３ａよりなる枠部材８３とを備えている。そして、かかる枠部材８３と取付板部８２とに囲まれた空間内に前記アーム７０の引っ掛け部７２が前記回動により受け入れられると共に、このように受け入れられたアーム７０の引っ掛け部７２に対し、前記枠部材８３における突き出し端８１の内側面を前記アーム７０の引っ掛け部７２の鉛直部７２ａに接しさせ、かつ、当該突き出し端８１の下面をかかる引っ掛け部７２の頭部７２ｂ上面に接しさせるようにして、かかる引っ掛け部７２をこの突き出し端８１をもって掛合させることができる構成としてある。すなわち、この実施の形態にあっては、かかるフック受Ｕにおける枠部材８３の突き出し端８１が前記引っ掛け部７２への掛合部８０とされる。
【００５５】
また、この実施の形態にあっては、前記フック受Ｕにおける取付板部８２の下縁部から、前記枠部材８３の掛合部８０に向けて突き出す弾性片８４が備えられており、かかる掛合部８０に前記引っ掛け部７２が掛合された状態において、この弾性片８４がかかる引っ掛け部７２の頭部７２ｂをこの頭部７２ｂの上面が前記掛合部８０を構成する枠部材８３の突き出し端８１の下面に密着するように弾性的に押圧する構成としてある。
【００５６】
この実施の形態にかかるラッチＲ２は、以上の構成を備えることから、前記フック体Ｆにおける前記アーム７０の引っ掛け部７２が前記可動側部材Ｍの側に突き出すように、前記固定側部材Ｓにおける水平方向に沿った面部に、前記ケース５０の上部を取り付けると共に、前記可動側部材Ｍにおける鉛直方向に沿った面部に、前記フック受Ｕにおける掛合部８０が、前記フック体Ｆの引っ掛け部７２の下方であって、この引っ掛け部７２と前記アーム７０の回動軸７１、すなわち、前記軸突起７１ａとの間に位置されるように、かかるフック受Ｕの取付板部８２を取り付けることにより、所定の振動に伴う可動側部材Ｍの移動をこのラッチＲ２をもって阻止することができる。
【００５７】
すなわち、第一に、所定の振動により前記ウエイト６０が移動されることに伴って、前記アーム７０の引っ掛け部７２が下方に回動されると、このように下方に回動されたアーム７０の引っ掛け部７２は、前記フック受Ｕの枠部材８３と取付板部８２とに囲まれた空間内に入り込むに至る。第二に、前記所定の振動により、あるいは、この所定の振動に伴って落下した収納物による可動側部材Ｍの押圧などにより、可動側部材Ｍが固定側部材Ｓから離れ出す向きに移動されると、これに伴ってフック受Ｕも固定側部材Ｓから離れる向きに移動され、この移動により前記空間内に入り込んだアーム７０の引っ掛け部７２はフック受Ｕの掛合部８０に掛合される位置まで移動され、当該掛合部８０に前記のように掛合される。この掛合により、この掛合位置から先への前記可動側部材Ｍの移動が阻止される。
【００５８】
前記弾性片８４の前記引っ掛け部７２の頭部７２ｂの弾性的な押圧により、この掛合状態は維持される。この掛合状態の解除は、この実施の形態にあっては、前記引っ掛け部７２を前記掛合部８０に掛合させる位置まで前記固定側部材Ｓから離れ出した可動側部材Ｍを固定側部材Ｓの側に近付く向きに移動させることにより、前記頭部７２ｂにより前記弾性片８４の先端を下方に押し上げて、この弾性片８４の先端と前記掛合部８０との間から前記引っ掛け部７２を抜き出すことによりなすことができる。
【００５９】
【発明の効果】
この発明にかかるラッチＲによれば、地震などによる所定の振動が作用されることに伴って、ウエイト２０・６０を移動させることができ、この移動されたウエイト２０・６０により当接部３４・７３を押圧して、アーム３０・７０を、当該アーム３０・７０の引っ掛け部３２・７２がフック受Ｕの掛合部４０・８０に掛合される位置まで回動させることができる。この結果、かかる所定の振動による固定側部材Ｓから離れ出す向きの可動側部材Ｍの移動を阻止することができる。
【００６０】
特に、前記アーム３０・７０の当接部３４・７３が、前記ウエイト２０・６０を挟んだ前記ケース１０・５０の奥側１０’・５０’と当該ケース１０・５０における前記アーム３０・７０の突き出し側１０”・５０”とに少なくとも設けてあることから、ウエイト２０・６０をケース１０・５０の奥側１０’・５０’に移動させる所定の振動が作用された場合にあっても、また、ウエイト２０・６０をケース１０・５０におけるアーム３０・７０の突き出し側１０”・５０”に移動させる所定の振動が作用された場合にあっても、前記アーム３０・７０を、当該アーム３０・７０の引っ掛け部３２・７２がフック受Ｕの掛合部４０・８０に掛合される位置まで回動させることができ、少なくとも、異なる二つの向きの所定の振動が作用された場合において、それぞれ、前記固定側部材Ｓから離れ出す向きの可動側部材Ｍの移動を阻止することができる。
【図面の簡単な説明】
【図１】ラッチＲ１の分解斜視図
【図２】ラッチＲ１の使用状態を示す縦断面図
【図３】ラッチＲ１の使用状態を示す縦断面図（掛合状態）
【図４】ラッチＲ１の使用状態を示す縦断面図（掛合状態）
【図５】ラッチＲ２の使用状態を示す縦断面図
【符号の説明】
Ｒ  ラッチ
Ｓ  固定側部材
Ｍ  可動側部材
Ｆ  フック体
Ｕ  フック受
１０  ケース
１０’  ケース１０の奥側
１０”  ケース１０におけるアーム３０の突き出し側
２０  ウエイト
３０  アーム
３１  回動軸
３２  引っ掛け部
３４  当接部
４０  掛合部
５０  ケース
５０’  ケース１０の奥側
５０”  ケース１０におけるアーム３０の突き出し側
６０  ウエイト
７０  アーム
７１  回動軸
７２  引っ掛け部
７３  当接部
８０  掛合部
【図１】
0003738109.tif 000002
【図２】
0003738109.tif 000003
【図３】
0003738109.tif 000004
【図４】
0003738109.tif 000005
【図５】
0003738109.tif 000006